(57)【要約】【課題】版への画像部形成を行なった後にブランケット胴に対するインキ装置の位相調整を不要とする。【解決手段】ブランケット胴６と一体に回転するブランケットギア１１と、そのブランケットギア１１と噛み合い、版胴１０に対して回転可能に支持された版胴ギア１４と、その版胴ギア１４と噛み合い、版胴１０に巻き付けた版３３にインキを供給するインキ装置１５に接続されたインキギア１６と、版胴１０を回転駆動する版胴駆動モータ３０と、版胴１０を回転させた状態で版胴１０に巻き付けられた版３３に画像部を形成する画像形成装置３４とを有し、版胴ギア１４を介してブランケットギア１１とインキギア１６の噛み合いを保持した状態で版胴１０を回転させて版３３に画像部を形成するようにした構成をオフセット印刷機に採用する。【選択図】図３
2010194880.tif 000002
【特許請求の範囲】
【請求項１】
ブランケット胴（６）と一体に回転するブランケットギア（１１）と、そのブランケットギア（１１）と噛み合い、版胴（１０）に対して回転可能に支持された版胴ギア（１４）と、その版胴ギア（１４）と噛み合い、前記版胴（１０）に巻き付けた版（３３）にインキを供給するインキ装置（１５）に接続されたインキギア（１６）と、前記版胴（１０）を回転駆動する版胴駆動装置（３０）と、前記版胴（１０）を回転させた状態で前記版胴（１０）に巻き付けられた版（３３）に画像部を形成する画像形成装置（３４）とを有し、前記版胴ギア（１４）を介して前記ブランケットギア（１１）と前記インキギア（１６）の噛み合いを保持した状態で前記版胴（１０）を回転させて前記版（３３）に画像部を形成するようにしたオフセット印刷機。
【請求項２】
前記ブランケット胴（６）と一体に回転する第２ブランケットギア（１２）と、その第２ブランケットギア（１２）と噛み合い、前記版胴（１０）と一体に回転する第２版胴ギア（１７）を設け、前記版胴（１０）と前記第２版胴ギア（１７）を軸方向に一体に移動可能とし、前記版胴（１０）を、前記第２版胴ギア（１７）と前記第２ブランケットギア（１２）が噛み合う位置とギアの噛み合いが解除される位置の間で移動させる版胴移動装置（２５）を設け、印刷時は、前記第２版胴ギア（１７）を前記第２ブランケットギア（１２）に噛み合わせて前記ブランケット胴（６）の回転を前記版胴（１０）に伝達し、画像部形成時は、前記第２版胴ギア（１７）と前記第２ブランケットギア（１２）の噛み合いを解除するようにした請求項１に記載のオフセット印刷機。
【請求項３】
前記ブランケット胴（６）と一体に回転する第２ブランケットギア（１２）と、その第２ブランケットギア（１２）と噛み合い、前記版胴（１０）と一体に回転する第２版胴ギア（５１）を設け、その第２版胴ギア（５１）を前記版胴（１０）に対して軸方向に移動可能とし、その第２版胴ギア（５１）を、第２版胴ギア（５１）と前記第２ブランケットギア（１２）が噛み合う位置とギアの噛み合いが解除される位置の間で移動させる版胴ギア移動装置（２５）を設け、印刷時は、前記第２版胴ギア（５１）を前記第２ブランケットギア（１２）に噛み合わせて前記ブランケット胴（６）の回転を前記版胴（１０）に伝達し、画像部形成時は、前記第２版胴ギア（５１）と前記第２ブランケットギア（１２）の噛み合いを解除するようにした請求項１に記載のオフセット印刷機。
【請求項４】
前記第２版胴ギア（５１）と前記第２ブランケットギア（１２）をはすば歯車とし、前記第２ブランケットギア（１２）に対する前記第２版胴ギア（５１）の軸方向位置を前記版胴ギア移動装置（２５）で変化させて前記ブランケット胴（６）に対する前記版胴（１０）の位相調整を行なうようにした請求項３に記載のオフセット印刷機。
【発明の詳細な説明】
【技術分野】
【０００１】
この発明は、版胴に巻き付けた版に画像部を形成する画像形成装置を備えたオフセット印刷機に関する。
【背景技術】
【０００２】
オフセット印刷機は、一般に、版胴に巻き付けた版にインキを供給して版の画像部にインキを付着させ、その版からブランケット胴にインキを転写し、さらにブランケット胴から枚葉紙にインキを転写して印刷を行なう。
【０００３】
ここで、版胴に巻き付けた状態の版に画像部を形成する機能を備えたオフセット印刷機として、版胴を回転させた状態で、版胴に巻き付けられた版に画像形成装置からレーザを照射して版に画像部を形成するオフセット印刷機が知られている（特許文献１）。
【０００４】
この印刷機は、版胴が１回転するごとにレーザ照射点を版胴の軸方向にずらす動作を繰り返して版に画像部を形成し、この画像部形成を短時間で完了させるため、画像部形成時は印刷時よりも高速で版胴を回転させる。
【０００５】
また、この印刷機は、印刷時は、ブランケット胴と一体に回転するブランケットギアから版胴ギアに回転を伝達して版胴を回転させるとともに、版胴と一体に回転する版胴ギアからインキ装置に接続したインキギアに回転を伝達してインキ装置を駆動するが、画像部形成時は、版胴ギアとインキギアの間に組み込まれたインキクラッチを切った状態で版胴を回転させることにより、インキ装置の負荷変動を排除して版胴の回転速度を安定させ、版に形成される画像部の精度を向上させている。
【先行技術文献】
【特許文献】
【０００６】
【特許文献１】特開２００１−９６７１２号公報
【発明の概要】
【発明が解決しようとする課題】
【０００７】
しかし、この印刷機は、インキクラッチを切った状態で版胴を回転させたときに、ブランケット胴からインキ装置が切り離された状態となり、ブランケット胴に対するインキ装置の位相が変動する。そのため、版への画像部形成を行なった後、ブランケット胴に対するインキ装置の位相を元に戻すために、ブランケット胴に対するインキ装置の位相調整を行なう必要があった。
【０００８】
この発明が解決しようとする課題は、版への画像部形成を行なった後にブランケット胴に対するインキ装置の位相調整を不要とすることである。
【課題を解決するための手段】
【０００９】
上記の課題を解決するために、ブランケット胴と一体に回転するブランケットギアと、そのブランケットギアと噛み合い、版胴に対して回転可能に支持された版胴ギアと、その版胴ギアと噛み合い、前記版胴に巻き付けた版にインキを供給するインキ装置に接続されたインキギアと、前記版胴を回転駆動する版胴駆動装置と、前記版胴を回転させた状態で前記版胴に巻き付けられた版に画像部を形成する画像形成装置とを有し、前記版胴ギアを介して前記ブランケットギアと前記インキギアの噛み合いを保持した状態で前記版胴を回転させて前記版に画像部を形成する構成をオフセット印刷機に採用した。
【００１０】
このオフセット印刷機は、次の構成を加えると好ましい。
１）前記ブランケット胴と一体に回転する第２ブランケットギアと、その第２ブランケットギアと噛み合い、前記版胴と一体に回転する第２版胴ギアを設け、前記版胴と前記第２版胴ギアを軸方向に一体に移動可能とし、前記版胴を、前記第２版胴ギアと前記第２ブランケットギアが噛み合う位置とギアの噛み合いが解除される位置の間で移動させる版胴移動装置を設け、印刷時は、前記第２版胴ギアを前記第２ブランケットギアに噛み合わせて前記ブランケット胴の回転を前記版胴に伝達し、画像部形成時は、前記第２版胴ギアと前記第２ブランケットギアの噛み合いを解除するようにする。
２）前記ブランケット胴と一体に回転する第２ブランケットギアと、その第２ブランケットギアと噛み合い、前記版胴と一体に回転する第２版胴ギアを設け、その第２版胴ギアを前記版胴に対して軸方向に移動可能とし、その第２版胴ギアを、第２版胴ギアと前記第２ブランケットギアが噛み合う位置とギアの噛み合いが解除される位置の間で移動させる版胴ギア移動装置を設け、印刷時は、前記第２版胴ギアを前記第２ブランケットギアに噛み合わせて前記ブランケット胴の回転を前記版胴に伝達し、画像部形成時は、前記第２版胴ギアと前記第２ブランケットギアの噛み合いを解除するようにする。
【００１１】
上記２）の構成を加えたものは、さらに、前記第２版胴ギアと前記第２ブランケットギアをはすば歯車とし、前記第２ブランケットギアに対する前記第２版胴ギアの軸方向位置を前記版胴ギア移動装置で変化させて前記ブランケット胴に対する前記版胴の位相調整を行なうようにするとより好ましい。
【発明の効果】
【００１２】
この発明のオフセット印刷機は、ブランケットギアの回転をインキギアに伝達する版胴ギアが版胴に対して回転可能に設けられているので、インキ装置の負荷変動を排除した状態で版胴を回転させることができる。そのため、版への画像部形成時に版胴の回転速度が安定し、版に形成される画像部の精度が高い。また、版への画像部形成時にインキ装置が損耗せず、インキ装置の寿命低下を生じにくい。
【００１３】
また、版胴ギアを介してブランケットギアとインキギアの噛み合いを保持した状態で版への画像部形成を行なうので、画像部形成の前後において、ブランケット胴に対するインキ装置の位相が変化しない。そのため、版への画像部形成を行なった後にブランケット胴に対するインキ装置の位相調整を行なう必要がない。
【００１４】
また、前記ブランケット胴と一体に回転する第２ブランケットギアと、その第２ブランケットギアと噛み合い、前記版胴と一体に回転する第２版胴ギアを設け、前記版胴と前記第２版胴ギアを軸方向に一体に移動可能とし、前記版胴を、前記第２版胴ギアと前記第２ブランケットギアが噛み合う位置とギアの噛み合いが解除される位置の間で移動させる版胴移動装置を設けたものは、印刷時に、第２版胴ギアを第２ブランケットギアに噛み合わせてブランケット胴の回転を版胴に伝達し、版胴とブランケット胴を同期して回転させることができる。
【００１５】
また、前記ブランケット胴と一体に回転する第２ブランケットギアと、その第２ブランケットギアと噛み合い、前記版胴と一体に回転する第２版胴ギアを設け、その第２版胴ギアを前記版胴に対して軸方向に移動可能とし、その第２版胴ギアを、第２版胴ギアと前記第２ブランケットギアが噛み合う位置とギアの噛み合いが解除される位置の間で移動させる版胴ギア移動装置を設けたものは、印刷時に、第２版胴ギアを第２ブランケットギアに噛み合わせてブランケット胴の回転を版胴に伝達し、版胴とブランケット胴を同期して回転させることができる。
【００１６】
さらに、前記第２版胴ギアと前記第２ブランケットギアをはすば歯車としたものは、版胴ギア移動装置を用いてブランケット胴に対する版胴の位相調整を行なうので、構造が簡単である。
【図面の簡単な説明】
【００１７】
【図１】この発明の第１実施形態のオフセット印刷機を示す正面図
【図２】図１に示すオフセット印刷機の版胴フレームの拡大図
【図３】図２のIII-III線に沿った断面図
【図４】図３に示す版胴を軸方向に移動させて第２版胴ギアと第２ブランケットギアの噛み合いを解除した状態を示す拡大断面図
【図５】図１に示すオフセット印刷機の拡大断面図
【図６】この発明の第２実施形態のオフセット印刷機の版胴フレームの拡大図
【図７】図６のVII-VII線に沿った断面図
【図８】図７に示す第２版胴ギアを軸方向に移動させて第２版胴ギアと第２ブランケットギアの噛み合いを解除した状態を示す拡大断面図
【発明を実施するための形態】
【００１８】
図１、図２に、この発明の第１実施形態のオフセット印刷機を示す。このオフセット印刷機は、給紙テーブル１に積み重ねられた枚葉紙を一枚ずつフィーダ２で送り出し、送り出された枚葉紙をコンベヤ３で搬送して渡し胴４に送り込む。渡し胴４は、コンベヤ３から送り込まれた枚葉紙を圧胴５に送り出し、圧胴５は、渡し胴４から送り出された枚葉紙の先端を咥え爪（図示せず）でくわえて枚葉紙を保持する。圧胴５に保持された枚葉紙は、各ブランケット胴６と接触してインキを転写され、その後、チェーンデリバリ７で排紙テーブル８に送り出される。
【００１９】
ブランケット胴６は、版胴フレーム９で回転可能に支持された版胴１０と平行に配置されている。また、図３に示すように、ブランケット胴６の一端には、ブランケット胴６と同軸に配置されたブランケットギア１１が設けられ、他端には、ブランケット胴６と同軸に配置された第２ブランケットギア１２が設けられている。ブランケットギア１１と第２ブランケットギア１２は、いずれもブランケット胴６に固定されており、ブランケット胴６と一体に回転する。
【００２０】
ブランケットギア１１は、図３に示すように、版胴１０の外周に設けた軸受１３で版胴１０に対して回転可能に支持された版胴ギア１４と噛み合っており、版胴ギア１４は、図２に示すインキ装置１５に接続されたインキギア１６と噛み合っている。そのため、ブランケット胴６が回転すると、ブランケットギア１１から版胴ギア１４を介してインキギア１６に回転が伝達される。
【００２１】
第２ブランケットギア１２は、版胴１０と同軸に配置された第２版胴ギア１７と噛み合っている。第２版胴ギア１７は、版胴１０に固定されており、版胴１０と一体に回転する。また、版胴１０の胴軸１８には、胴軸１８を回転可能に支持するとともに胴軸１８に対する軸方向位置が固定された支持部材１９が取り付けられている。支持部材１９には、胴軸１８と平行なねじ軸２０が固定され、ねじ軸２０は、ナット部材２１にねじ係合している。
【００２２】
ナット部材２１は、版胴フレーム９に固定された補助フレーム２２で回転可能に支持されるとともに、補助フレーム２２に取り付けられた保持部材２３で補助フレーム２２に対する位置が軸方向に保持されている。また、ナット部材２１の外周にはギア２４が形成され、そのギア２４と噛み合うウォームギア２５が、図２に示すモータ２６に接続されている。
【００２３】
そのため、モータ２６でウォームギア２５を回転させると、ウォームギア２５とギア２４の噛み合いによってナット部材２１が回転し、ナット部材２１が回転すると、ナット部材２１にねじ係合したねじ軸２０が軸方向に移動して版胴１０が軸方向に移動し、その版胴１０の軸方向移動によって、図４に示すように、第２版胴ギア１７と第２ブランケットギア１２の噛み合いが解除され、ブランケット胴６を切り離した状態で版胴１０が回転可能となる。
【００２４】
このとき、版胴ギア１４も版胴１０と一体に軸方向に移動するが、版胴ギア１４は、ブランケットギア１１、インキギア１６よりも幅広に形成されており、版胴１０の移動前後においてブランケットギア１１とインキギア１６のいずれにも噛み合った状態を保持する。
【００２５】
胴軸１８には、図３に示すように、駆動側プーリ２７とベルト２８で連結された従動側プーリ２９が固定されている。駆動側プーリ２７は、版胴駆動モータ３０で回転駆動されるスプライン軸３１に回り止めされ、かつスプライン軸３１に対して軸方向に移動可能に支持されており、図４に示すように、版胴１０を軸方向に移動させて第２版胴ギア１７と第２ブランケットギア１２の噛み合いを解除したときに、従動側プーリ２９と連動して軸方向に移動する。版胴駆動モータ３０とスプライン軸３１の間にはクラッチ３２が組み込まれている。
【００２６】
図５に示すように、版胴フレーム９には、版胴１０に巻き付けられた版３３にレーザを照射して画像部を形成する画像形成装置３４が取り付けられている。版胴１０の外周に形成された溝３５内には、画像部形成前の版３３を版胴１０の外周に送り出す巻出し軸３６と、使用済みの版３３を版胴１０の外周から回収する巻取り軸３７とが収容されている。
【００２７】
また、版胴フレーム９には、版胴１０に巻き付けられた版３３に湿し水を供給する湿し装置３８が取り付けられている。湿し装置３８は、水タンク３９に溜めた湿し水に外周下部を浸けた水元ローラ４０を有し、その水元ローラ４０の外周から水移しローラ４１を介して水着けローラ４２に湿し水を移し、その水着けローラ４２を版３３に接触させて版３３の非画像部に湿し水を付着させる。水着けローラ４２には、回転しながら軸方向に往復動する均しローラ４３が接触しており、均しローラ４３は、水着けローラ４２の外周の水膜の厚さを均一化する。
【００２８】
インキ装置１５は、インキつぼ４４のインキを持ち出すつぼローラ４５を有し、そのつぼローラ４５の外周からインキ移しローラ４６とローラ群４７を介してインキ着けローラ４８にインキを移し、そのインキ着けローラ４８を版３３に接触させて版３３の画像部にインキを付着させる。
【００２９】
インキ移しローラ４６は、支点軸４９を中心としてつぼローラ４５とローラ群４７の間を揺動し、つぼローラ４５からローラ群４７に供給されるインキの量を調節する。ローラ群４７は、回転しながら軸方向に往復動するオシレーションローラ５０を有し、オシレーションローラ５０を介してインキを移すことによってインキの厚みを均一化する。オシレーションローラ５０は、インキギア１６の回転がカム機構（図示せず）によって往復動に変換して伝達され、ブランケット胴６の回転に対して一定のタイミングで往復動する。また、ローラ群４７、インキ着けローラ４８は、インキギア１６の回転が伝達されて回転駆動される。
【００３０】
版胴１０に巻き付けられた版３３に画像部を形成する動作の例を説明する。
【００３１】
まず、モータ２６でウォームギア２５を回転させて版胴１０を軸方向に移動させ、その軸方向移動によって第２版胴ギア１７と第２ブランケットギア１２の噛み合いを解除する。つぎに、クラッチ３２をつないで版胴駆動モータ３０を作動させ、版胴１０を回転させる。その状態で、画像形成装置３４からレーザを照射し、版胴１０に巻き付けられた版３３に画像部を形成する。このとき、画像形成装置３４は、版胴１０が１回転するごとにレーザ照射点を版胴１０の軸方向にずらし、その動作を繰り返すことにより画像部全体を形成する。
【００３２】
版への画像部形成が完了すると、再びモータ２６でウォームギア２５を回転させて版胴１０を軸方向に移動させ、その軸方向移動によって第２版胴ギア１７と第２ブランケットギア１２を噛み合わせる。その後、クラッチ３２を切り離し、メインモータ（図示せず）でブランケット胴６を回転させて印刷を開始する。このとき、版胴１０は、第２ブランケットギア１２から第２版胴ギア１７に回転が伝達することによってブランケット胴６と同期して回転し、インキ装置１５は、ブランケットギア１１から版胴ギア１４を介してインキギア１６に回転が伝達することによって駆動される。
【００３３】
このオフセット印刷機は、ブランケットギア１１の回転をインキギア１６に伝達する版胴ギア１４が版胴１０に対して回転可能に設けられているので、第２版胴ギア１７と第２ブランケットギア１２の噛み合いが解除される位置に版胴１０を移動させることにより、オシレーションローラ５０の負荷変動を排除した状態で版胴１０を回転させることができる。そのため、版３３への画像部形成時に印刷時よりも高速で版胴１０を回転させたときにも、版胴１０の回転速度が安定し、版３３に形成される画像部の精度が高い。また、ローラ群４７、インキ着けローラ４８を切り離した状態で版３３への画像部形成を行なうことができるので、版３３への画像部形成時にインキ装置１５が損耗せず、インキ装置１５の寿命低下を生じにくい。
【００３４】
また、このオフセット印刷機は、ブランケットギア１１に噛み合う版胴ギア１４が版胴１０に対して回転可能に設けられているので、第２版胴ギア１７と第２ブランケットギア１２の噛み合いが解除される位置に版胴１０を移動させることにより、ブランケット胴６から切り離した状態で版胴１０を回転させることができる。そのため、ブランケット胴６への動力伝達経路に、フィーダ２やチェーンデリバリ７など回転運動を他の運動に変換して駆動される機構が接続されている場合にも、その機構の負荷変動を排除した状態で版胴１０を回転させ、版３３への画像部形成を高い精度で行なうことができる。
【００３５】
また、このオフセット印刷機は、版胴ギア１４を介してインキギア１６とブランケットギア１１の噛み合いを保持した状態で版３３への画像部形成を行なうので、版３３への画像部形成の前後において、ブランケット胴６に対するオシレーションローラ５０の往復動の位相が変化しない。そのため、版３３への画像部形成を行なった後に、ブランケット胴６に対するオシレーションローラ５０の位相調整を行なう必要がない。
【００３６】
上記実施形態では、インキギア１６の回転を往復動に変換してオシレーションローラ５０に伝達し、版３３への画像部形成の前後においてブランケット胴６に対するオシレーションローラ５０の往復動の位相を保持するようにしているが、インキギア１６の回転を揺動に変換してインキ移しローラ４６に伝達するようにしてもよい。このようにすると、版３３への画像部形成の前後においてブランケット胴６に対するインキ移しローラ４６の揺動の位相を保持することができる。
【００３７】
上記実施形態では、ねじ軸２０がねじ込まれたナット部材２１を回転させることによって版胴１０を軸方向に移動させているが、版胴１０の軸方向移動は他の形式で行なってもよく、たとえば、油圧シリンダで支持部材１９を軸方向に移動させて行なってもよい。
【００３８】
また、上記実施形態では、印刷時に、第２ブランケットギア１２と第２版胴ギア１７を噛み合わせることにより、ブランケット胴６と同一の駆動源で版胴１０を回転駆動するようにしているが、印刷時に、版胴駆動モータ３０で版胴１０を回転させるとともに、メインモータでブランケット胴６を回転させ、インキ装置１５は、ブランケットギア１１から版胴ギア１４を介してインキギア１６に回転を伝達して駆動するようにしてもよい。
【００３９】
また、上記実施形態では、版胴１０を軸方向に移動させることにより第２ブランケットギア１２と第２版胴ギア１７の噛み合いを解除するようにしているが、版胴１０を軸方向に移動させる機構に換えて第２ブランケットギア１２とブランケット胴６の間にクラッチを組み込み、印刷時はクラッチをつなぎ、版３３への画像部形成時はクラッチを切るようにしてもよい。同様に、第２版胴ギア１７と版胴１０の間にクラッチを組み込んでもよい。
【００４０】
図６、図７に第２実施形態のオフセット印刷機を示す。このオフセット印刷機の第１実施形態に対応する部分は、第１実施形態と同一の符号を付して説明を省略する。
【００４１】
第２ブランケットギア１２は、図７に示すように、版胴１０と同軸に配置された第２版胴ギア５１と噛み合っている。第２版胴ギア５１は、版胴１０に対して軸方向に移動可能に支持され、また、第２版胴ギア５１に固定された内歯車５２が、版胴１０の胴軸５３に固定された外歯車５４と噛み合っている。この内歯車５２と外歯車５４の噛み合いにより、第２版胴ギア５１は版胴１０と一体に回転する。
【００４２】
内歯車５２には、内歯車５２と同軸に配置された支軸５５が固定され、支軸５５には、支軸５５を回転可能に支持するとともに支軸５５に対する軸方向位置が固定された支持部材５６が取り付けられている。支持部材５６には、支軸５５と平行なねじ軸５７が固定され、ねじ軸５７は、補助フレーム２２で回転可能に支持されたナット部材２１にねじ係合している。
【００４３】
そのため、図６に示すモータ２６でウォームギア２５を回転させてナット部材２１を回転させると、ナット部材２１にねじ係合したねじ軸５７が軸方向に移動して第２版胴ギア５１が軸方向に移動し、その第２版胴ギア５１の軸方向移動によって、図８に示すように、第２版胴ギア５１と第２ブランケットギア１２の噛み合いが解除され、ブランケット胴６を切り離した状態で版胴１０が回転可能となる。
【００４４】
このとき、第２版胴ギア５１は軸方向に移動するが、版胴１０は軸方向に移動しない。そのため、版胴１０に対して軸方向位置を固定された版胴ギア１４は、第２版胴ギア５１の移動前後においてブランケットギア１１とインキギア１６のいずれにも噛み合った状態を保持する。
【００４５】
支軸５５には、図７に示すように、駆動側プーリ２７とベルト２８で連結された従動側プーリ５８が固定されている。
【００４６】
版胴１０に巻き付けられた版３３に画像部を形成する動作の例を説明する。
【００４７】
まず、モータ２６でウォームギア２５を回転させて第２版胴ギア５１を軸方向に移動させ、その軸方向移動によって第２版胴ギア５１と第２ブランケットギア１２の噛み合いを解除する。つぎに、クラッチ３２をつなぐとともに版胴駆動モータ３０を作動させ、ブランケット胴６の回転を停止した状態で版胴１０を回転させる。その状態で、画像形成装置３４からレーザを照射し、版胴１０に巻き付けられた版３３に画像部を形成する。
【００４８】
画像部形成が完了すると、再びモータ２６でウォームギア２５を回転させて第２版胴ギア５１を軸方向に移動させ、その軸方向移動によって第２版胴ギア５１と第２ブランケットギア１２を噛み合わせる。その後、クラッチ３２を切り離し、メインモータでブランケット胴６を回転させて印刷を開始する。このとき、版胴１０は、第２ブランケットギア１２から第２版胴ギア５１に回転が伝達することによってブランケット胴６と同期して回転し、インキ装置１５は、ブランケットギア１１から版胴ギア１４を介してインキギア１６に回転が伝達することによって駆動される。
【００４９】
このオフセット印刷機は、第２版胴ギア５１を軸方向に移動させて第２版胴ギア５１と第２ブランケットギア１２の噛み合いを解除した状態で版胴１０を回転させることにより、第１実施形態と同様、インキ装置１５のオシレーションローラ５０から切り離した状態で版胴１０を回転させることができる。そのため、版３３への画像部形成時に印刷時よりも高速で版胴１０を回転させたときにも、版胴１０の回転速度が安定し、版３３に形成される画像部の精度が高い。また、ローラ群４７、インキ着けローラ４８を切り離した状態で版３３への画像部形成を行なうことができるので、版３３への画像部形成時にインキ装置１５が損耗せず、インキ装置１５の寿命低下を生じにくい。
【００５０】
また、このオフセット印刷機は、第２版胴ギア５１を軸方向に移動させて第２版胴ギア５１と第２ブランケットギア１２の噛み合いを解除した状態で版胴１０を回転させることにより、ブランケット胴６から切り離した状態で版胴１０を回転させることができる。そのため、第１実施形態と同様、ブランケット胴６への動力伝達経路に、フィーダ２やチェーンデリバリ７など回転運動を他の運動に変換して駆動される機構が接続されている場合にも、その機構の負荷変動が版胴１０に伝わらないので版胴１０の回転速度が安定し、版３３への画像部形成時に、高い精度で画像部を形成することができる。
【００５１】
また、このオフセット印刷機は、版胴ギア１４を介してインキギア１６とブランケットギア１１の噛み合いを保持した状態で版３３への画像部形成を行なうので、版３３への画像部形成の前後において、ブランケット胴６に対するオシレーションローラ５０の往復動の位相が変化しない。そのため、版３３への画像部形成を行なった後に、ブランケット胴６に対するオシレーションローラ５０の位相調整を行なう必要がない。
【００５２】
この実施形態において、第２版胴ギア５１と第２ブランケットギア１２は、歯すじが軸に平行な平歯車で構成してもよいが、歯すじが螺旋状のはすば歯車とすると好ましい。このようにすると、モータ２６でウォームギア２５を回転させて第２ブランケットギア１２に対する第２版胴ギア５１の軸方向位置を変化させることにより、ブランケット胴６に対する版胴１０の位相を調整し、枚葉紙への印刷位置を天地方向に調整することができる。また、第２版胴ギア５１を軸方向に移動させて第２ブランケットギア１２との噛み合いを解除する機構を用いて、ブランケット胴６に対する版胴１０の位相調整を行なうので、構造が簡単である。
【００５３】
上記実施形態では、印刷時に、第２ブランケットギア１２と第２版胴ギア５１を噛み合わせることにより、ブランケット胴６と同一の駆動源で版胴１０を回転駆動するようにしているが、印刷時に、版胴駆動モータ３０で版胴１０を回転させるとともに、メインモータでブランケット胴６を回転させ、インキ装置１５は、ブランケットギア１１から版胴ギア１４を介してインキギア１６に回転を伝達して駆動するようにしてもよい。
【００５４】
また、上記実施形態では、第２版胴ギア５１を軸方向に移動させることにより第２ブランケットギア１２と第２版胴ギア５１の噛み合いを解除するようにしているが、第２版胴ギア５１を軸方向に移動させる機構に換えて第２ブランケットギア１２とブランケット胴６の間にクラッチを組み込み、印刷時はクラッチをつなぎ、版３３への画像部形成時はクラッチを切るようにしてもよい。同様に、第２版胴ギア５１と版胴１０の間にクラッチを組み込んでもよい。
【符号の説明】
【００５５】
６      ブランケット胴
１０    版胴
１１    ブランケットギア
１２    第２ブランケットギア
１４    版胴ギア
１５    インキ装置
１６    インキギア
１７    第２版胴ギア
２５    モータ
３０    版胴駆動モータ
３３    版
３４    画像形成装置
５１    第２版胴ギア
【図１】
2010194880.tif 000003
【図２】
2010194880.tif 000004
【図３】
2010194880.tif 000005
【図４】
2010194880.tif 000006
【図５】
2010194880.tif 000007
【図６】
2010194880.tif 000008
【図７】
2010194880.tif 000009
【図８】
2010194880.tif 000010